(57)【要約】      （修正有）【課題】外科手術部位での感染を検知し、かつ任意に治療するように構成された装置を提供する。【解決手段】感染検知装置１００は、外科手術部位での感染のレベルを出力するように構成されたディスプレイ１０６を有するハウジング１０２と、ハウジングに取り付けられた近位端部分１０９ａ、及び外科手術部位内に挿入するように構成された遠位端部分１０９ｂを有するプローブ１０８と、を含む。検知装置は、プローブの遠位端部分に沿って一体化されており、かつ外科手術部位での感染のレベルを測定するように構成されている。検知装置は、外科手術部位で所定の感染のレベルが検知されたときにユーザに警告するように構成されている。【選択図】図１
2018187376.tif 000002
【特許請求の範囲】
【請求項１】
感染検知装置であって、
外科手術部位での感染のレベルを出力するように構成されたディスプレイを有するハウジングと、
前記ハウジングに取り付けられた近位端部分、及び外科手術部位内に挿入するように構成された遠位端部分を有するプローブと、
前記プローブに沿って一体化された検知装置であって、外科手術部位での感染のレベルを測定するように構成されており、かつ外科手術部位で所定の感染のレベルが検知されたときにユーザに警告するように構成されている、検知装置と、を備える、感染検知装置。
【請求項２】
前記検知装置が、前記プローブの遠位端部分に配設されたカメラを含み、前記カメラが、外科手術視野を画定する、請求項１に記載の感染検知装置。
【請求項３】
前記検知装置が、前記プローブの前記遠位端部分に配設された光源を含み、前記光源が、前記カメラにより画定された前記外科手術視野を照明するように構成されており、前記光源が、外科手術部位での感染を治療するように構成されている、請求項２に記載の感染検知装置。
【請求項４】
前記検知装置が、前記プローブの遠位端部分に選択的に取り付け可能である無菌塗布具を含み、前記無菌塗布具が、外科手術部位から組織試料を取り出すように構成されている、請求項１に記載の感染検知装置。
【請求項５】
前記無菌塗布具により取り出された組織試料から感染のレベルを測定するように構成された光度計をさらに備える、請求項４に記載の感染検知装置。
【請求項６】
前記検知装置が、前記感染検知装置の少なくとも１つの動作を行うように構成された処理装置及びメモリを含む演算装置を含む、請求項１に記載の感染検知装置。
【請求項７】
前記ディスプレイが、前記演算装置の少なくとも１つの出力を表示するように構成されている、請求項６に記載の感染検知装置。
【請求項８】
前記演算装置が、前記外科手術部位での前記所定の感染のレベルを判定するように構成されている、請求項７に記載の感染検知装置。
【請求項９】
前記ディスプレイが、前記カメラにより画定された前記外科手術視野を表示するように構成されている、請求項２に記載の感染検知装置。
【請求項１０】
前記ハウジング上に配設されており、かつ前記プローブに動作可能に接続された目盛り盤をさらに備え、前記目盛り盤が、前記ハウジングに対して前記プローブを選択的に回転させ、かつ関節運動させるように構成されている、請求項１に記載の感染検知装置。
【請求項１１】
前記光源が、紫外線を放射して、外科手術部位での細菌感染を視覚化するように構成されている、請求項３に記載の感染検知装置。
【請求項１２】
前記光源が、約２６０ナノメートル〜約２８０ナノメートルの波長を有する紫外線を放射して、組織を治療するように構成されている、請求項３に記載の感染検知装置。
【請求項１３】
前記プローブの前記遠位端部分が、前記無菌塗布具を受容するように構成された凹部を含む、請求項４に記載の感染検知装置。
【請求項１４】
前記光度計が、組織試料の感染のレベルを試験するための前記無菌塗布具を受容するように構成された読み取りチャンバを含む、請求項５に記載の感染検知装置。
【請求項１５】
外部装置とインターフェースするように構成されたデータインターフェース装置をさらに備え、前記データインターフェース装置が、前記演算装置からのデータを前記外部装置上にアップロードするように構成されており、前記データインターフェース装置が、前記外部装置からのデータを前記演算装置上にダウンロードするように構成されている、請求項６に記載の感染検知装置。
【請求項１６】
吻合部漏出を検知及び治療するシステムであって、
患者内に標的部位に近接して設けられた切開内に挿入されるように構成されたプローブと、
前記標的部位を視認するために使用されるカメラ及び前記プローブの光源と、を含み、
前記プローブは、前記標的部位が漏出または感染を含むかどうかを判定するために使用され、
前記光源は、前記標的部位を治療するように構成される、システム。
【請求項１７】
前記標的部位から組織試料を取り出すために構成された前記プローブに選択的に取り付けられた無菌塗布具をさらに含む、請求項１６に記載のシステム。
【請求項１８】
無菌塗布具により取り出された組織試料から感染のレベルを測定するように構成された光度計をさらに含む、請求項１６に記載のシステム。
【請求項１９】
前記標的部位にいつ感染が存在するかを判定するために使用される、演算装置をさらに含む、請求項１８に記載のシステム。
【請求項２０】
前記カメラにより画定された外科手術視野を表示するように構成された表示装置をさらに含む、請求項１６に記載のシステム。
【請求項２１】
前記光源は、前記標的部位を、約２６０ナノメートル〜約２８０ナノメートルの波長を有する紫外線に供することによって、前記標的部位を治療するために構成される、請求項１６に記載のシステム。
【請求項２２】
前記標的部位は、前記標的部位での細菌感染を視認するために、前記光源からの紫外線下で視覚化されるように構成される、請求項１６に記載のシステム。
【請求項２３】
前記プローブは、前記標的部位を誘導するために関節運動されるように構成される、請求項１６に記載のシステム。
【発明の詳細な説明】
【技術分野】
【０００１】
関連出願の相互参照
本願は、２０１７年５月２日に出願された、米国仮特許出願第６２／５００，２０６号の利益及びこれに対する優先権を主張し、その全体的な開示は、参照により本明細書に組み込まれる。
【０００２】
本開示は、概して、外科手術装置に関し、より具体的には、外科手術部位での感染を検知し、かつ任意に治療するように構成された装置に関する。
【背景技術】
【０００３】
背景
外科手術部位の感染は、外科手術が行われる体の一部での外科手術後に生じる感染である。外科手術部位の感染は、皮膚のみを侵す表在性感染であり得る場合がある。他の外科手術部位の感染は、より深刻であり、皮膚、器官、または埋め込まれた材料下での組織を侵し得る。外科手術が行われた時間と感染の兆候または症状の発現との間に時間差があり得る。これにより、その検知及び適切な治療を始める前の状態が重症化し得る。
【発明の概要】
【課題を解決するための手段】
【０００４】
本開示による装置は、最小侵襲性実時間感染検知、及び任意に治療を提供する。
【０００５】
本開示の一態様によると、感染検知装置は、外科手術部位での感染のレベルを出力するように構成されたディスプレイを有するハウジングと、ハウジングに取り付けられた近位端部分、及び外科手術部位内に挿入するように構成された遠位端部分を有するプローブと、を含む。検知装置は、プローブの遠位端部分に沿って一体化され得る。検知装置は、外科手術部位での感染のレベルを測定し、かつ外科手術部位で所定の感染のレベルが検知されたときにユーザに警告するように構成され得る。
【０００６】
実施形態において、検知装置は、プローブの遠位端部分に配設されたカメラを含む。カメラは、外科手術視野を画定する。
【０００７】
いくつかの実施形態において、検知装置は、プローブの遠位端部分に配設された光源を含む。光源は、カメラにより画定された外科手術視野を照明するように構成されている。光源は、外科手術部位での感染を治療するように構成されている。
【０００８】
一定の実施形態において、検知装置は、プローブの遠位端部分に選択的に取り付け可能である無菌塗布具を含む。無菌塗布具は、外科手術部位から組織試料を取り出すように構成されている。
【０００９】
実施形態において、感染検知装置は、無菌塗布具により取り出された組織試料から感染のレベルを測定するように構成された光度計を含む。
【００１０】
いくつかの実施形態において、感染検知装置は、感染検知装置の少なくとも１つの動作を行うように構成された処理装置及びメモリを含む演算装置を含む。
【００１１】
一定の実施形態において、ディスプレイは、演算装置の少なくとも１つの出力を表示するように構成されている。
【００１２】
実施形態において、演算装置は、外科手術部位での所定の感染のレベルを判定するように構成されている。
【００１３】
いくつかの実施形態において、ディスプレイは、カメラにより画定された外科手術視野を表示するように構成されている。
【００１４】
一定の実施形態において、目盛り盤は、ハウジング上に配設されており、かつプローブに動作可能に接続されている。目盛り盤は、ハウジングに対してプローブを選択的に回転させ、かつ関節運動させるように構成されている。
【００１５】
実施形態において、光源は、紫外線を放出して、外科手術部位での細菌感染を視覚化するように構成されている。
【００１６】
いくつかの実施形態において、光源は、約２６０ナノメートル〜約２８０ナノメートルの波長を有する紫外線を放射して、組織を治療するように構成されている。
【００１７】
一定の実施形態において、プローブの遠位端部分は、無菌塗布具を受容するように構成された凹部を含む。
【００１８】
実施形態において、光度計は、組織試料の感染のレベルを試験するための無菌塗布具を受容するように構成された読み取りチャンバを含む。
【００１９】
いくつかの実施形態において、感染検知装置は、外部装置とインターフェースするように構成されたデータインターフェース装置を含む。データインターフェース装置は、演算装置からのデータを外部装置上にアップロードするように構成されている。データインターフェース装置は、外部装置からのデータを演算装置上にダウンロードするように構成されている。
【００２０】
本開示の別の態様によると、患者内に標的部位に近接する切開を設けることと、切開内にプローブを挿入することと、カメラ及びプローブの光源により標的部位を視認することと、標的部位が漏出または感染を含むかどうかをプローブにより判定することと、光源により標的部位を治療することと、を含む、吻合部漏出を検知及び治療する方法を提供している。
【００２１】
実施形態において、本方法は、プローブに選択的に取り付けられた無菌塗布具により標的部位から組織試料を取り出すことを含み得る。
【００２２】
いくつかの実施形態において、本方法は、光度計を有する無菌塗布具により取り出された組織試料から感染のレベルを測定することを含み得る。
【００２３】
一定の実施形態において、本方法は、標的部位にいつ感染が存在するかを、演算装置により判定することを含み得る。
【００２４】
実施形態において、本方法は、カメラにより画定された外科手術視野を表示装置上に表示することを含み得る。
【００２５】
いくつかの実施形態において、標的部位の治療は、標的部位を約２６０ナノメートル〜約２８０ナノメートルの波長を有する光源からの紫外線に供することを含む。
【００２６】
一定の実施形態において、本方法は、光源からの紫外線下で標的部位を視覚化して、標的部位での細菌感染を視認することを含む。
【００２７】
実施形態において、本方法は、プローブを関節運動させて、標的部位まで誘導することを含む。
本願明細書は、例えば、以下の項目も提供する。
（項目１）
感染検知装置であって、
外科手術部位での感染のレベルを出力するように構成されたディスプレイを有するハウジングと、
上記ハウジングに取り付けられた近位端部分、及び外科手術部位内に挿入するように構成された遠位端部分を有するプローブと、
上記プローブに沿って一体化された検知装置であって、外科手術部位での感染のレベルを測定するように構成されており、かつ外科手術部位で所定の感染のレベルが検知されたときにユーザに警告するように構成されている、検知装置と、を備える、感染検知装置。
（項目２）
上記検知装置が、上記プローブの遠位端部分に配設されたカメラを含み、上記カメラが、外科手術視野を画定する、上記項目に記載の感染検知装置。
（項目３）
上記検知装置が、上記プローブの上記遠位端部分に配設された光源を含み、上記光源が、上記カメラにより画定された上記外科手術視野を照明するように構成されており、上記光源が、外科手術部位での感染を治療するように構成されている、上記項目のいずれかに記載の感染検知装置。
（項目４）
上記検知装置が、上記プローブの遠位端部分に選択的に取り付け可能である無菌塗布具を含み、上記無菌塗布具が、外科手術部位から組織試料を取り出すように構成されている、上記項目のいずれかに記載の感染検知装置。
（項目５）
上記無菌塗布具により取り出された組織試料から感染のレベルを測定するように構成された光度計をさらに備える、上記項目のいずれかに記載の感染検知装置。
（項目６）
上記検知装置が、上記感染検知装置の少なくとも１つの動作を行うように構成された処理装置及びメモリを含む演算装置を含む、上記項目のいずれかに記載の感染検知装置。
（項目７）
上記ディスプレイが、上記演算装置の少なくとも１つの出力を表示するように構成されている、上記項目のいずれかに記載の感染検知装置。
（項目８）
上記演算装置が、上記外科手術部位での上記所定の感染のレベルを判定するように構成されている、上記項目のいずれかに記載の感染検知装置。
（項目９）
上記ディスプレイが、上記カメラにより画定された上記外科手術視野を表示するように構成されている、上記項目のいずれかに記載の感染検知装置。
（項目１０）
上記ハウジング上に配設されており、かつ上記プローブに動作可能に接続された目盛り盤をさらに備え、上記目盛り盤が、上記ハウジングに対して上記プローブを選択的に回転させ、かつ関節運動させるように構成されている、上記項目のいずれかに記載の感染検知装置。
（項目１１）
上記光源が、紫外線を放射して、外科手術部位での細菌感染を視覚化するように構成されている、上記項目のいずれかに記載の感染検知装置。
（項目１２）
上記光源が、約２６０ナノメートル〜約２８０ナノメートルの波長を有する紫外線を放射して、組織を治療するように構成されている、上記項目のいずれかに記載の感染検知装置。
（項目１３）
上記プローブの上記遠位端部分が、上記無菌塗布具を受容するように構成された凹部を含む、上記項目のいずれかに記載の感染検知装置。
（項目１４）
上記光度計が、組織試料の感染のレベルを試験するための上記無菌塗布具を受容するように構成された読み取りチャンバを含む、上記項目のいずれかに記載の感染検知装置。
（項目１５）
外部装置とインターフェースするように構成されたデータインターフェース装置をさらに備え、上記データインターフェース装置が、上記演算装置からのデータを上記外部装置上にアップロードするように構成されており、上記データインターフェース装置が、上記外部装置からのデータを上記演算装置上にダウンロードするように構成されている、上記項目のいずれかに記載の感染検知装置。
（項目１６）
吻合部漏出を検知及び治療するシステムであって、
患者内に標的部位に近接して設けられた切開内に挿入されるように構成されたプローブと、
上記標的部位を視認するために使用されるカメラ及び上記プローブの光源と、を含み、
上記プローブは、上記標的部位が漏出または感染を含むかどうかを判定するために使用され、
上記光源は、上記標的部位を治療するように構成される、システム。
（項目１７）
上記標的部位から組織試料を取り出すために構成された上記プローブに選択的に取り付けられた無菌塗布具をさらに含む、上記項目のいずれかに記載のシステム。
（項目１８）
無菌塗布具により取り出された組織試料から感染のレベルを測定するように構成された光度計をさらに含む、上記項目のいずれかに記載のシステム。
（項目１９）
上記標的部位にいつ感染が存在するかを判定するために使用される、演算装置をさらに含む、上記項目のいずれかに記載のシステム。
（項目２０）
上記カメラにより画定された外科手術視野を表示するように構成された表示装置をさらに含む、上記項目のいずれかに記載のシステム。
（項目２１）
上記光源は、上記標的部位を、約２６０ナノメートル〜約２８０ナノメートルの波長を有する紫外線に供することによって、上記標的部位を治療するために構成される、上記項目のいずれかに記載のシステム。
（項目２２）
上記標的部位は、上記標的部位での細菌感染を視認するために、上記光源からの紫外線下で視覚化されるように構成される、上記項目のいずれかに記載のシステム。
（項目２３）
上記プローブは、上記標的部位を誘導するために関節運動されるように構成される、上記項目のいずれかに記載のシステム。
（項目１６Ａ）
吻合部漏出を検知及び治療する方法であって、
患者内に標的部位に近接する切開を設けることと、
上記切開内にプローブを挿入することと、
カメラ及び上記プローブの光源により上記標的部位を視認することと、
上記標的部位が漏出または感染を含むかどうかを上記プローブにより判定することと、
上記光源により上記標的部位を治療することと、を含む、方法。
（項目１７Ａ）
上記プローブに選択的に取り付けられた無菌塗布具により上記標的部位から組織試料を取り出すことをさらに含む、上記項目のいずれかに記載の方法。
（項目１８Ａ）
光度計を有する上記無菌塗布具により取り出された組織試料から感染のレベルを測定することをさらに含む、上記項目のいずれかに記載の方法。
（項目１９Ａ）
上記標的部位にいつ感染が存在するかを、演算装置により判定することをさらに含む、上記項目のいずれかに記載の方法。
（項目２０Ａ）
上記カメラにより画定された外科手術視野を表示装置上に表示することをさらに含む、上記項目のいずれかに記載の方法。
（項目２１Ａ）
上記標的部位の治療が、上記標的部位を約２６０ナノメートル〜約２８０ナノメートルの波長を有する上記光源からの紫外線に供することを含む、上記項目のいずれかに記載の方法。
（項目２２Ａ）
上記光源からの紫外線下で上記標的部位を視覚化して、上記標的部位での細菌感染を視認することをさらに含む、上記項目のいずれかに記載の方法。
（項目２３Ａ）
上記プローブを関節運動させて、上記標的部位まで誘導することをさらに含む、上記項目のいずれかに記載の方法。
（摘要）
感染検知装置は、外科手術部位での感染のレベルを出力するように構成されたディスプレイを有するハウジングと、ハウジングに取り付けられた近位端部分、及び外科手術部位内に挿入するように構成された遠位端部分を有するプローブと、を含む。検知装置は、プローブの遠位端部分に沿って一体化されており、かつ外科手術部位での感染のレベルを測定するように構成されている。検知装置は、外科手術部位で所定の感染のレベルが検知されたときにユーザに警告するように構成されている。
【００２８】
本明細書の一部に組み込まれており、かつこれを構成している図面を参照して、本発明の感染検知装置の種々の態様を下に記載している。
【図面の簡単な説明】
【００２９】
【図１】本開示による感染検知装置の図示的実施形態の斜視図である。
【図２】図１の装置の遠位端部分の遠位端図である。
【図３】塗布具が取り付けられた状態での図１の装置のプローブの側面図である。
【図４】塗布具を受容する光度計の読み取りチャンバを図示している図１の装置の正面部分的断面図である。
【図５】外科手術部位または創傷部位での使用時の図１の装置の図である。
【発明を実施するための形態】
【００３０】
次に、いくつかの図の各々において同様の符号が同一または対応する要素を指定している図面を参照して、本発明の感染検知装置の実施形態を詳細に記載する。本明細書で使用される場合、「臨床医」という用語は、医者、看護師、または他の医療提供者を指し、支援人員を含み得る。下記の説明において、不要な詳細で本開示を不明瞭にすることを避けるために、よく知られている機能または構造は、詳細に記載していない。本明細書で使用される場合、「遠位」という用語は、従来と同様に、ユーザからより遠いか、または患者により近い機器、器具、装置、またはその構成要素のそのような部分を指し、「近位」という用語は、ユーザにより近いか、または患者からより遠い機器、器具、装置、またはその構成要素のそのような部分を指すだろう。
【００３１】
本開示は、感染検知装置に関する。具体的には、感染検知及び治療装置は、外科手術部位または創傷部位での外科手術または外科手術後の検査を行うように構成されたプローブを有する手持ち装置であり得る。本発明の装置は、例えば、外科手術部位または創傷部位での感染性病原体を低減または除去することにより、外科手術部位または創傷部位を治療するように構成され得る。
【００３２】
図１を参照すると、本開示による感染検知装置１００の実施形態は、概して、ハウジング１０２と、装置１００とインターフェースし、かつ装置１００の種々の動作を実行するように構成された中央処理装置１０４（ＣＰＵ）と、ディスプレイ１０６と、外科手術部位または創傷部位の検査及び／または治療用プローブ１０８と、プローブ１０８を関節運動または操作するための目盛り盤１１０と、例えば、外科手術部位または創傷部位からの組織試料を分析するための照度計または光度計等の検知装置１１２と、を含む。実施形態において、装置１００は、装置１００に電力を提供するためのエネルギー源に接続され得る。追加的または代替的に、感染１００は、携帯可能な電池式装置であり得る。
【００３３】
ハウジング１０２は、装置１００が手持ち装置として構成され得るように、感染検知装置１００を把持するように構成されたハンドル部分１０２ａを含む。ハウジング１０２は、ユーザ入力を受信し、かつ装置１００の種々の機能を動作するように構成された複数の制御装置１０３を含む。
【００３４】
ＣＰＵ１０４は、本明細書に記載されている技術、動作、及び／または命令を行うか、または実行するように適合された任意の種類の好適な処理装置またはコンピュータであり得る。例えば、ＣＰＵ１０４は、ファームウエア、メモリもしくは他の記憶装置、またはそれらの組み合わせにおける命令に従って、本明細書に記載されている技術を行うようにプログラムされたハードウエア処理装置であり得る。同様に、ＣＰＵ１０４はまた、１つ以上の特定用途向け集積回路（ＡＳＩＣ）、本明細書に記載されている技術または動作を行うように持続的にプログラムされたフィールドプログラム可能ゲートアレイ（ＦＰＧＡ）であり得る。ＣＰＵ１０４はまた、デジタル信号処理装置（ＤＳＰ）、マイクロプロセッサ、または本明細書に記載されている動作もしくは技術を行う配線論理もしくはプログラム論理または両方を組み込む任意の他の装置であり得る。
【００３５】
ＣＰＵ１０４は、データを保存するのに使用される任意の種類のハードウエア装置であり得るメモリ１０４ａを含み得る。メモリ１０４ａは、ランダムアクセスメモリ（ＲＡＭ）（例えば、動的ランダムアクセスメモリ（ＤＲＡＭ）、静的ランダムアクセスメモリ（ＳＲＡＭ）等）等の揮発性メモリであり得る。メモリ１０４ａは、読み取り専用メモリ（ＲＯＭ）（例えば、プログラム可能な読み取り専用メモリ（ＥＰＲＯＭ）、電気的消去可能なプログラム可能な読み取り専用メモリ（ＥＥＰＲＯＭ）、非揮発性ＲＡＭ（ＮＶＲＡＭ）等）等の非揮発性メモリであり得る。メモリ１０４ａは、磁気媒体、光学媒体、または電気媒体であり得る。
【００３６】
ディスプレイ１０６は、ＣＰＵ１０４に通信可能に接続され得る。ディスプレイ１０６は、ＣＰＵ１０４の少なくとも１つの出力を表示するように構成された任意の装置（例えば、タッチスクリーン、ＬＥＤ、ＬＣＤ、ＯＬＥＤ、ＰＤＰ等）であり得る。例えば、ディスプレイ１０６は、外科手術部位または創傷部位の画像及び映像、組織試料データ、治療情報等を表示するように構成され得る。例えば、外科手術部位または創傷部位に感染が存在する場合、ディスプレイ１０６は、「感染を検知せず」、「感染を検知」「合格」、「不合格」、「ＯＫ」、「ＲＬＵ」、または同様のもの等、感染もしくはその不存在を示す組織試料情報を臨床医に提供し得る。ディスプレイ１０６はまた、「ＵＶ−Ｃ光の適用」、「外科手術の推奨」等の治療方針を推奨するテキストまたはグラフィックを表示し得る。実施形態において、複数の制御装置１０３は、装置１００の種々の機能を行うために、臨床医がデジタルディスプレイ１０６上の複数の制御装置１０３にタッチすることができるように、ディスプレイ１０６上にデジタル的に表示され得る。
【００３７】
ディスプレイ１０６は、液晶ディスプレイ、プラズマディスプレイ、１つ以上の発光ダイオード、発光ディスプレイ、多色ディスプレイ、アナログディスプレイ、パッシブディスプレイ、アクティブディスプレイ、「捻れネマチック」ディスプレイ、「超捻れネマチック」ディスプレイ、「デュアルスキャン」ディスプレイ、反射型ディスプレイ、バックライト付きディスプレイ、英数字ディスプレイ、モノクロディスプレイ、「低温ポリシリコン薄膜トランジスタ」もしくはＬＰＴＳ  ＴＦＴディスプレイ、または感染検知及び治療装置１００の感染治療情報に関連するパラメータ、情報もしくはグラフィックを示す任意の他のディスプレイＸであり得る。
【００３８】
装置１００は、外部装置、例えば、タブレット、スマート装置、コンピュータ等とインターフェースするように構成されたデータインターフェース装置１０６ａを含み得る。データインターフェース装置１０６ａは、ＣＰＵ１０４からのデータを外部装置上にアップロードするように構成され得る。さらに、データインターフェース装置１０６ａは、外部装置からのデータをＣＰＵ１０４上にダウンロードして、ＣＰＵ１０４のプログラミングを変更及び／またはアップデート（例えば、ファームウエアのアップデート）するように構成され得る。データインターフェース装置１０６ａは、ＵＳＢケーブルを使用して外部装置とインターフェースするように構成された汎用シリアルバス（ＵＳＢ）コネクタであり得る。追加的または代替的に、データインターフェース装置１０６ａは、ＵＳＢフラッシュメディアドライブ、ＳＤカード、またはＣＰＵ１０４及び／またはメモリ１０４ａからデータをダウンロード／アップロードするための他の取り外し可能もしくは取り外し不可能な記憶装置媒体を受容するように構成され得る。データインターフェース装置１０６ａは、１つ以上の外部装置もしくはシステムから、かつ／またはそこへとデータを受信及び／または伝達するように構成された無線技術（例えば、Ｂｌｕｅｔｏｏｔｈ（登録商標））を含み得る。
【００３９】
プローブ１０８は、装置１００のハウジング１０２に動作可能に、通信可能に、かつ／または電気的に接続された近位端部分１０９ａ、及び患者の外科手術部位、創傷部位、または同様のもの内に挿入し、かつ／またはこれらを検査及び治療するように構成された遠位端部分１０９ｂを有する細長い管状本体部分１０８ａを含む。プローブ１０８は、任意の好適な長さを有し得、かつ患者の任意のオリフィスもしくは開口、または患者内に設けられた任意の人工切開を通して患者内に挿入され得る。プローブ１０８は、プラスチック、ポリマー、合成物、金属、もしくは同様のもの等、任意の好適な（例えば、非侵襲性、生体適合性等）、可撓性、剛性、半可撓性、または半剛性材料から形成され得る。
【００４０】
目盛り盤１１０は、目盛り盤１１０の回転（例えば、時計回りまたは反時計回りの）が外科手術部位または創傷部位を誘導するためのハウジング１０２に対するプローブ１０８の選択的な回転、関節運動及び／または操作を可能にするように、プローブ１０８に動作可能に連結されている。
【００４１】
図２を参照すると、プローブ１０８は、その遠位端部分１０９ｂに配設されたカメラ１２０及び光源１２２を含む。プローブ１０８の遠位端部分１０９ｂは、液体または他の汚染物質がカメラ１２０及び／または光源１２２の動作を妨げるのを抑制するように構成された好適な透明カバー（図示せず）を含み得る。
【００４２】
カメラ１２０は、外科手術視野「ＳＦ」（図１）を画定し、外科手術部位または創傷部位の画像及び映像データを捕捉及び記録するように構成されている。外科手術視野「ＳＦ」は、外科手術部位または創傷部位を誘導するための最大３６０度の視野角「α」を提供し得る。外科手術部位または創傷部位の画像及び映像データは、臨床医が、患者内に大きい切開を設け、かつ／または外科手術部位または創傷部位を直接調べる必要なく、外科手術部位または創傷部位を実時間で視認または観察することができるように、装置１００のディスプレイ１０６に伝達され、かつ／またはその上に表示される。カメラ１２０からの画像及び映像データは、後に視認するためにＣＰＵ１０４のメモリ１０４ａ及び／またはデータインターフェース装置１０６ａ内に記録され得る。画像及び映像データは、遠隔地からの画像及び映像データへのアクセスを可能にするために、例えば、セントラルサーバ、ローカルエリアネットワーク（ＬＡＮ）、ワイドエリアネットワーク（ＷＡＮ）、及び同様のものに伝達され得る。
【００４３】
カメラ１２０は、高解像度映像（例えば、１０８０ｐ、４Ｋ、８Ｋ等）及び／または画像（例えば、単一もしくはバーストモード、高速等での）を記録するように構成され得る。カメラ１２０は、広角レンズ、手振れ防止機構、画像センサ、オートズーム、及び全方向移動機能、または同様のものを含み得る。カメラ１２０は、電荷結合装置（ＣＣＤ）、相補形金属酸化膜半導体（ＣＭＯＳ）、Ｎ型金属酸化膜半導体（ＮＭＯＳ）、または当該技術分野で知られている他の好適なカメラ等の可視光光学カメラであり得る。実施形態において、カメラ１２０は、強誘電体、シリコンマイクロボロメータ、もしくは非冷却焦点面アレイ（ＵＦＰＡ）等の赤外線カメラもしくはサーモグラフカメラであり得る。
【００４４】
プローブ１０８の光源１２２は、カメラ１２０により画定された外科手術視野「ＳＦ」（図１）を照明するように構成されており、かつ感染性病原体を検知及び治療するように構成されている。例えば、光源１２２は、通常光（例えば、無色、白光等）を放射または放出して、外科手術視野「ＳＦ」を照明し得、カメラ１２０を使用して外科手術部位または創傷部位を検査及び／または文書化することができる。加えて、光源１２２は、紫外線（ＵＶ）光を放射して、感染性病原体を照明、視覚化、かつ／または治療するように構成され得る。プローブ１０８は、造影剤と組み合わせて機能するように構成され得る。造影剤は、任意の吻合部漏出が、漏出を通して造影剤を運搬し、装置１００のプローブ１０８により容易に検知されるように、患者の消化管内に経口投与され得る。他の例において、光源１２２を使用して、別様に、通常光下で視認可能でない通常光下で感染性病原体（例えば、病原性細菌、内毒素、代謝物等）を照明し、かつ視覚化することができる。ＵＶ光を使用して、光源１２２により、感染性病原体が蛍光を発するか、または蛍光性を示し、これは、感染性病原体を露出させ、その結果、臨床医は、感染性病原体を容易に特定及び診断することができる。加えて、臨床医は、有害な細菌、ウイルス、及び他の微生物を破壊、死滅、または放射するために、光源１２２からのＵＶ−Ｃ光（例えば、１８０ナノメートル（ｎｍ）〜２８０ｎｍの波長）を使用して、外科手術部位または創傷部位を治療することができる。実施形態において、光源１２２は、約２６０ｎｍ〜約２７０ｎｍの波長で紫外線を放出するように構成されている。例えば、ＧＩ管の吻合部漏出に関連付けられた細菌、もしくはヘルニアの修復から生じる感染に関連付けられた特定の範囲の波長等、感染または感染性病原体を標的にするように構成された任意の好適な波長を使用し得ることを理解するべきである。実施形態において、光源１２２は、１つ以上の発光ダイオード（ＬＥＤ）、電球、レーザ、ランプ、マイクロ波生成ＵＶプラズマ装置、または同様のものを含み得る。
【００４５】
図２、３、及び４を参照すると、プローブ１０８の遠位端部分１０９ｂは、無菌塗布具または綿棒１３０を受容し、これに取り付けるように構成された凹部１２４を含み得る。綿棒１３０が取り付けられた状態でのプローブ１０８は、外科手術部位または創傷部位内に挿入して、組織培養物もしくは試料を回収するように構成されている。実施形態において、綿棒１３０は、綿棒１３０がプローブ１０８に選択的に取り付けられるように、プローブ１０８の凹部１２４との押し込み、スナップ嵌合、及び／または締まり嵌め配置を有し得る。実施形態において、組織培養物または試料を回収するための任意の種類の無菌塗布具または綿棒を使用し得る。
【００４６】
光度計１１２は、ＣＰＵ１０４に通信可能に接続されている。光度計１１２は、外科手術部位または創傷部位から回収された組織試料に基づき実時間組織培養試験を行って、外科手術部位または創傷部位に存在する感染のレベル及び／または無菌の程度を特定するように構成されている。動作中に、ハウジング１０２のラッチ１１３を開いて、光度計１１２の読み取りチャンバ１１２ａを露出させる。読み取りチャンバ１１２ａは、綿棒１３０（図４）を内部に受容して、綿棒１３０及びプローブ１０８により外科手術部位または創傷部位から回収された組織試料の試験を行うように構成されている。
【００４７】
光度計１１２は、外科手術部位または創傷部位でのアデノシン三リン酸（ＡＴＰ）のレベルを検知または測定し得る。光度計１１２の読み取りチャンバ１１２ａ内への綿棒１３０の挿入前または中に、綿棒１３０は、試薬（水、発光酵素、等、図示せず）に供されるか、またはこれと接触し得、その結果、綿棒１３０上に存在するＡＴＰが、もし存在するならば、試薬と相互作用して光を生成する。生成された光の量は、存在するＡＴＰの量に直接比例しており、外科手術部位または創傷部位での総合的な生物学的汚染レベル、例えば、無菌または感染のレベルの指標を提供する。光度計１１２及びＣＰＵ１０４は、存在するＡＴＰの量を検知するように協働して、外科手術部位での、またはその近くでの任意の感染または未決定の感染について臨床医に警告する。かかるＡＴＰレベルは、臨床医が、介入が必要かどうかを判定することを可能にし得る。
【００４８】
読み取りは、関連する光ユニット（「ＲＬＵ」）内に記録され、ディスプレイ１０６上に表示され、かつ／またはデータインターフェース装置１０６ａを使用して１つ以上の外部装置に無線で伝達されて、例えば、外科手術部位または創傷部位での無菌または感染のレベルの評価を臨床医に提供し得る。実施形態において、光度計１１２は、外科手術部位または創傷部位での無菌または感染のレベルに近似する光出力を測定するように構成された１つ以上のフォトレジスタ、フォトダイオード、または光電子増倍管（図示せず）を含み得る。
【００４９】
使用時に、臨床医は、図５で示されているように、例えば、吻合部手技後等に、予防措置として外科手術後検診を行う場合がある。プローブ１０８は、例えば、吻合部漏出及び／または吻合部漏出から生じる任意の感染について試験するために、患者「Ｐ」の吻合の部位に近接する腹腔内に設けられた小切開（または、例えばトロカールを通して）内に直接挿入され得る。代替的に、プローブ１０８は、患者「Ｐ」（例えば、口、鼻、肛門等）の任意の天然オリフィスを通して挿入され得る。目盛り盤１１０を使用して、プローブ１０８を関節運動、操作、及び／または回転させて、外科手術部位または創傷部位まで誘導する。次に、プローブ１０８のカメラ１２０及び光源１２２を使用して、外科手術部位または創傷部位の外科手術視野「ＳＦ」を提供し、結果として生じた画像、映像、及び／またはデータは、臨床医がディスプレイ１０６を使用して外科手術部位または創傷部位を診断及び誘導することができるように、実時間でディスプレイ１０６上に表示される。例えば、カメラ１２０及び光源１２２を使用して、吻合の部位での吻合部漏出、または吻合部漏出から生じた感染（例えば、病原体、細菌等）を検知し得る。捕捉装置を使用して外科手術部位または創傷部位での視認検査を容易にすることができるように、患者内に第２の切開（図示せず）を設けてもよい。
【００５０】
外科手術部位または創傷部位での感染の視覚化を向上させるために、１００の光源１２２がＵＶ光を放出するように、制御装置１０３を使用して、ＵＶモードを選択することができる。ＵＶ光を使用して、通常光下で視認できない感染性病原体を照明し、かつ検知し得る。さらに、ＵＶ光（例えば、ＵＶ−Ｃ）を使用して、外科手術部位または創傷部位を治療（例えば、殺菌、消毒）し得る。外科手術部位または創傷部位（例えば、感染の部位）は、外科手術部位または創傷部位を適切に殺菌及び／または消毒するために必要な限り長くＵＶ−Ｃ光で治療され得る。
【００５１】
追加的または代替的に、綿棒１３０が試験用組織試料を回収することができるように、プローブ１０８の凹部１２４内に綿棒１３０を挿入してもよい。例えば、綿棒１３０をプローブ１０８に取り付けた後、目盛り盤１１０を作動させて、外科手術部位または創傷部位の適切な組織培養物を取得する。追加的または代替的に、臨床医は、適切な組織試料が綿棒１３０により受容されることを確実にするために、装置１００を移動（例えば、上、下、左、右、中、外に等）させることができる。次に、綿棒１３０は、試薬と混合されるか、または試薬に供され、かつ光度計１１２のチャンバ１１２ａ内に配置され得る。光度計１１２及びＣＰＵ１０４は、協働して、外科手術部位または創傷部位のＲＬＵ読み取りを提供する。ＲＬＵ読み取り及び／または他のプロンプトがディスプレイ１０６上に表示され得、外科手術部位または創傷部位での詳細な報告を提供し得る。外科手術部位または創傷部位での感染のレベルが閾値レベルを超えた場合、次に、装置１００は、臨床医に警告（例えば、ディスプレイ１０６上でのプロンプトの点滅、聴覚音等を通して）するだろう。装置１００は、光源１２２から外科手術部位または創傷部位にＵＶ−Ｃ光を適用する、さらなる外科手術を行う等の治療方針を推奨し得る。
【００５２】
装置１００により取り出された画像、映像、及び／またはデータは、ＣＰＵ１０４のメモリ１０４ａ内に文書化及び／または記録され得る。追加的または代替的に、ユーザは、データインターフェース装置１０６ａを使用して、外部装置（例えば、タブレット、スマートフォン、コンピュータ等）上にデータをダウンロードすることができる。
【００５３】
装置１００は、任意の種類の外科手術手技の前、中、及び／または後に使用し得、かつ吻合部手技に限定されないことを理解するべきである。例えば、装置１００のプローブ１０８は、手技中に挿入され得、次に、観察期間後に取り外され得る。観察期間は、十分な治癒に起因して外科手術後の感染期間が経過したことを示す、十分な時間が経過した時間枠として定義され得る。装置１００を使用して、異物（例えば、ヘルニアメッシュ、縫合、インプラント等）及びそこから生じた感染を検知し得る。さらに、装置１００を使用して、感染の存在を示す固形または可溶性物質（例えば、内毒素、代謝物）を検知し得る。装置１００は、咽頭培養試験、血液培養試験、膣培養試験、皮膚及び創傷培養試験、子宮頸部細胞診、または同様のものを行うように構成され得る。実施形態において、例えば、外科手術部位または創傷部位の撮像を向上させるために、外科手術部位または創傷部位に造影剤を適用してもよい。
【００５４】
本明細書に特に記載されており、かつ添付の図面に示されている構造及び方法は、非制限的で例示的な実施形態であり、かつ本説明、開示、及び図面は、特定の実施形態の単なる例示として解釈されるべきであることを、当業者であれば理解するだろう。したがって、本開示は、記載されている精確な実施形態に限定されるものではなく、かつ本開示の範囲または精神から逸脱することなく、種々の他の変更及び変形が当業者により行われ得ることを理解するべきである。さらに、一定の実施形態と関連して示されているか、または記載されている要素及び特徴は、本開示の範囲から逸脱することなく、一定の他の実施形態の要素及び特徴と組み合わされ得、かかる変形例及び変更例はまた、本開示の範囲内に含まれない。したがって、本開示の主題事項は、特に示されており、かつ記載されているものにより限定されない。
【図１】
2018187376.tif 000003
【図２】
2018187376.tif 000004
【図３】
2018187376.tif 000005
【図４】
2018187376.tif 000006
【図５】
2018187376.tif 000007